(57)【特許請求の範囲】
【請求項１】
撮像手段と、
記録の開始の指示と記録の停止の指示とを受け付ける入力手段と、
前記撮像手段により得られた動画像信号を記録媒体に記録する記録手段であって、前記記録の開始の指示に応じて前記記録媒体への前記動画像信号の記録を開始し、前記記録の停止の指示に応じて前記記録媒体への前記動画像信号の記録を停止する第１の撮影モードと、前記記録の開始の指示に応じて前記記録媒体への前記動画像信号の記録を開始し、前記動画像信号の記録開始後、所定期間が経過したことに応じて前記記録媒体への前記動画像信号の記録を停止する第２の撮影モードとを含む複数の撮影モードから選択された撮影モードで動作する記録手段と、
前記第１の撮影モードで前記記録媒体に記録された動画像信号における切り出し開始位置が指定された場合、前記第１の撮影モードで前記記録媒体に記録された動画像信号における前記指定された切り出し開始位置から前記所定期間分の動画像信号を切り出し、切り出された前記所定期間分の動画像信号を前記記録媒体に記録するように前記記録手段を制御する制御手段と、
前記記録媒体から動画像信号を再生する再生手段であって、第１の再生モードと第２の再生モードとを含む複数の再生モードから選択された再生モードで動作する再生手段とを備え、
前記制御手段は、前記記録媒体に記録された複数の動画像信号がそれぞれ、前記第１の撮影モードで記録された動画像信号、前記第２の撮影モードで記録された動画像信号、及び、前記切り出されて記録された動画像信号、のいずれであるかを判別し、前記第１の再生モードにおいては、前記第１の撮影モードで記録された動画像信号、前記第２の撮影モードで記録された動画像信号、及び、前記切り出されて記録された動画像信号から選択された動画像信号を再生し、前記第２の再生モードにおいては、前記記録媒体に記録された複数の動画像信号から、前記第２の撮影モードで記録された動画像信号、及び、前記切り出されて記録された動画像信号と判別された複数の動画像信号を選択し、選択した複数の動画像信号を続けて再生するように、前記再生手段を制御することを特徴とする撮像装置。
【請求項２】
前記制御手段は、前記第１の撮影モードで記録された動画像信号の再生中に、前記切り出し開始位置を指定するための切り出し指示を受けた場合に、前記切り出し指示により指定される切り出し開始位置から前記所定期間分の動画像信号を切り出し、切り出された前記所定期間分の動画像信号を前記記録媒体に記録するように前記記録手段を制御することを特徴とする請求項１に記載の撮像装置。
【請求項３】
前記制御手段は、前記切り出し開始指示を受けたときに再生中の動画像信号が、前記第１の撮影モードで記録されたものであるかどうかを判別し、前記再生中の動画像信号が前記第１の撮影モードで記録されたものでなかった場合には前記所定期間の動画像信号の切り出しを行わないことを特徴とする請求項２に記載の撮像装置。
【請求項４】
前記制御手段は、前記切り出し開始位置から前記切り出し開始位置を含む動画像信号の最後までの期間が前記所定期間よりも短い場合には、前記切り出し開始位置から当該動画像信号の最後までを切り出して前記記録媒体に記録するように前記記録手段を制御することを特徴とする請求項１に記載の撮像装置。
【請求項５】
前記制御手段は、前記切り出し開始位置から前記切り出し開始位置を含む動画像信号の最後までの期間が前記所定期間よりも短い場合には、前記動画像信号の切り出しを行わないことを特徴とする請求項１に記載の撮像装置。
【請求項６】
撮像手段と、
記録の開始の指示と記録の停止の指示とを受け付ける入力手段と、
前記撮像手段により得られた動画像信号を記録媒体に記録する記録手段であって、前記記録の開始の指示に応じて前記記録媒体への前記動画像信号の記録を開始し、前記記録の停止の指示に応じて前記記録媒体への前記動画像信号の記録を停止する第１の撮影モードと、前記記録の開始の指示に応じて前記記録媒体への前記動画像信号の記録を開始し、前記動画像信号の記録開始後、第１の期間が経過したことに応じて前記記録媒体への前記動画像信号の記録を停止する第２の撮影モードとを含む複数の撮影モードから選択された撮影モードで動作する記録手段と、
前記記録媒体から動画像信号を再生する再生手段と、
前記第１の撮影モードで前記記録媒体に記録された動画像信号の再生中に切り出し指示を受けた場合、前記再生中の動画像信号における、前記切り出し指示による切り出しの開始位置から、前記第１の期間と同じ長さである第２の期間の動画像信号を切り出し、前記切り出した動画像信号を前記記録媒体に記録するように前記記録手段を制御する制御手段とを備え、
前記制御手段は、前記切り出し指示による切り出し開始位置から前記再生中の動画像信号の最後までの期間が、前記第２の期間よりも短い期間に設定された閾値以上の場合には前記再生中の動画像信号の前記切り出し開始位置から最後までを切り出して前記記録媒体に記録するように前記記録手段を制御し、前記閾値よりも短い場合には、次に再生される前記第１の撮影モードで記録された動画像信号の先頭から前記第２の期間の動画像信号を切り出して前記記録媒体に記録するように前記記録手段を制御することを特徴とする撮像装置。
【請求項７】
撮像手段と、
記録の開始の指示と記録の停止の指示とを受け付ける入力手段と、を備え、
前記撮像手段により得られた動画像信号を記録するための記録媒体を装着可能な撮像装置の制御方法であって、
記録手段が、前記記録の開始の指示に応じて前記記録媒体への前記動画像信号の記録を開始し、前記記録の停止の指示に応じて前記動画像信号の記録を停止する第１の撮影モードと、前記記録の開始の指示に応じて前記記録媒体への前記動画像信号の記録を開始し、前記動画像信号の記録開始後、所定期間が経過したことに応じて前記記録媒体への前記動画像信号の記録を停止する第２の撮影モードとを含む複数の撮影モードから選択された撮影モードで前記記録媒体への動画信号の記録を実行する記録工程と、
制御手段が、前記第１の撮影モードで前記記録媒体に記録された動画像信号における切り出し開始位置が指定された場合、前記第１の撮影モードで前記記録媒体に記録された動画像信号における前記指定された切り出し開始位置から前記所定期間分の動画像信号を切り出し、切り出された前記所定期間分の動画像信号を前記記録媒体に記録するように前記記録手段を制御する制御工程と、
再生手段が、前記記録媒体から動画像信号を再生する再生工程であって、第１の再生モードと第２の再生モードとを含む複数の再生モードから選択された再生モードで動作する再生工程とを有し、
前記制御工程では、前記記録媒体に記録された複数の動画像信号がそれぞれ、前記第１の撮影モードで記録された動画像信号、前記第２の撮影モードで記録された動画像信号、及び、前記切り出されて記録された動画像信号、のいずれであるかを判別し、前記第１の再生モードにおいては、前記第１の撮影モードで記録された動画像信号、前記第２の撮影モードで記録された動画像信号、及び、前記切り出されて記録された動画像信号から選択された動画像信号を再生し、前記第２の再生モードにおいては、前記記録媒体に記録された複数の動画像信号から、前記第２の撮影モードで記録された動画像信号、及び、前記切り出されて記録された動画像信号と判別された複数の動画像信号を選択し、選択した複数の動画像信号を続けて再生するように、前記再生工程を制御することを特徴とする撮像装置の制御方法。
【発明の詳細な説明】
【技術分野】
【０００１】
本発明は撮像装置に関する。
【背景技術】
【０００２】
従来、動画像を撮影してメモリカードやディスク媒体などに記録するビデオカメラが知られている。ビデオカメラでは、通常、撮影者による撮影開始の指示によって動画の撮影、記録を開始し、撮影停止の指示があると記録を停止する。
また、この様な通常の撮影機能以外に、撮影開始の指示から所定時間が経過すると、自動的に撮影を停止するような機能も提案されている（例えば特許文献１参照）。
【先行技術文献】
【特許文献】
【０００３】
【特許文献１】特開２００５−２０４８４号公報
【発明の概要】
【発明が解決しようとする課題】
【０００４】
前記の様に、撮影時において、撮影開始から所定時間後に自動的に記録を停止する機能は提案されている。
しかし、既に記録された動画の中から、前記所定時間分の動画を選択、抽出したい場合、ユーザは、所定時間分の動画の先頭及び終わりの位置を自分で指定しなければならず、使い勝手が悪いものであった。
【０００５】
本発明は、このような課題を解決し、記録された動画の中から、所定時間分の動画を簡単に切り出すことができる装置を提供することを目的とする。
【課題を解決するための手段】
【０００６】
上記の目的を達成するための本発明の一態様による撮像装置は、以下の構成を備える。すなわち、
撮像手段と、
記録の開始の指示と記録の停止の指示とを受け付ける入力手段と、
前記撮像手段により得られた動画像信号を記録媒体に記録する記録手段であって、前記記録の開始の指示に応じて前記記録媒体への前記動画像信号の記録を開始し、前記記録の停止の指示に応じて前記記録媒体への前記動画像信号の記録を停止する第１の撮影モードと、前記記録の開始の指示に応じて前記記録媒体への前記動画像信号の記録を開始し、前記動画像信号の記録開始後、所定期間が経過したことに応じて前記記録媒体への前記動画像信号の記録を停止する第２の撮影モードとを含む複数の撮影モードから選択された撮影モードで動作する記録手段と、
前記第１の撮影モードで前記記録媒体に記録された動画像信号における切り出し開始位置が指定された場合、前記第１の撮影モードで前記記録媒体に記録された動画像信号における前記指定された切り出し開始位置から前記所定期間分の動画像信号を切り出し、切り出された前記所定期間分の動画像信号を前記記録媒体に記録するように前記記録手段を制御する制御手段と、
前記記録媒体から動画像信号を再生する再生手段であって、第１の再生モードと第２の再生モードとを含む複数の再生モードから選択された再生モードで動作する再生手段とを備え、
前記制御手段は、前記記録媒体に記録された複数の動画像信号がそれぞれ、前記第１の撮影モードで記録された動画像信号、前記第２の撮影モードで記録された動画像信号、及び、前記切り出されて記録された動画像信号、のいずれであるかを判別し、前記第１の再生モードにおいては、前記第１の撮影モードで記録された動画像信号、前記第２の撮影モードで記録された動画像信号、及び、前記切り出されて記録された動画像信号から選択された動画像信号を再生し、前記第２の再生モードにおいては、前記記録媒体に記録された複数の動画像信号から、前記第２の撮影モードで記録された動画像信号、及び、前記切り出されて記録された動画像信号と判別された複数の動画像信号を選択し、選択した複数の動画像信号を続けて再生するように、前記再生手段を制御する。
【発明の効果】
【０００７】
本発明によれば、記録された動画の中から、所定時間分の動画を簡単に切り出すことができる。
【図面の簡単な説明】
【０００８】
【図１】実施形態における撮像装置の構成を示すブロック図。
【図２】撮影モードの処理を示すフローチャート。
【図３】再生リストの生成処理を示すフローチャート。
【図４】再生モード処理を示すフローチャート。
【図５】第１の再生モード処理を示すフローチャート。
【図６】第２の再生モード処理を示すフローチャート。
【図７】切り出し処理を示すフローチャート。
【図８】切り出し位置に応じた切り出し処理を説明する図。
【発明を実施するための形態】
【０００９】
図１は、本発明を適用した撮像装置１００の構成を示す図である。
図１において、撮像部１０１は、レンズや撮像素子、画像処理回路などを有し、被写体を撮影して動画像信号を出力する。画像処理部１０２は、記録時においては撮像部１０１から出力された動画像信号に対してＭＰＥＧ等の公知の符号化処理を施してその情報量を圧縮する。また、画像処理部１０２は、再生時においては再生された動画像信号を復号する。音声入力部１０３はマイクロフォンやマイクロフォンにより得られた音声信号に対して必要な処理を施す処理回路を有し、撮影中に得られる音声信号を出力する。音声処理部１０４は、撮影時には入力された音声信号に対してＭＰ３等の公知の符号化処理を施し、その情報量を圧縮する。また、音声処理部１０４は、再生時においては第１記録媒体１０９から再生された音声信号や、第２記録媒体１１４から再生された音楽データを復号する。表示制御部１０５は、表示部１０６に対して撮影された動画像や再生された動画像など、各種の情報を表示する。表示部１０６は液晶パネルなどを有する。メモリ１０７は、動画像信号や音声信号を記憶し、また、記録や再生のために必要な各種の情報を記憶する。
【００１０】
記録再生部１０８は、記録時においては動画像信号と音声信号とを第１記録媒体１０９に記録し、更に、管理情報処理部１１２からの管理情報も記録する。また、記録再生部１０８は、再生時には第１記録媒体１０９から動画像信号や音声信号、管理情報などを再生する。第１記録媒体１０９は、メモリカードやハードディスク等の記録媒体であり、特には、ランダムアクセスの記録媒体である。また、本実施形態では、第１記録媒体１０９を撮像装置１００に内蔵された記録媒体とするが、交換可能な記録媒体とすることも可能である。制御部１１０は、操作部１１１からの指示により撮像装置１００の各部を制御する。操作部１１１は、電源スイッチや記録開始、停止を指示するためのスイッチ、再生モードへの切り替えスイッチや、メニュー表示のためのスイッチ等を備える。ユーザは、操作部１１１を操作することにより、後述のように撮影開始、停止や、或いは、撮影モードや再生モードの切り替えを指示することができる。
【００１１】
管理情報処理部１１２は、撮影時においては、記録される動画像信号の撮影モードの情報を含む各種の管理情報を生成して記録再生部１０８に送る。また、再生時においては、再生された管理情報に含まれる各種の情報を検出し、制御部１１０に送る。音楽データ再生部１１３は、第２記録媒体１１４に記録された音楽データを再生する。本実施形態では、後述の様に、動画像の再生時に、撮影時に記録した音声データに代えて、第２記録媒体１１４に記録されている音楽を出力することができる。第２記録媒体１１４は、メモリカードなどの交換可能な記録媒体である。そして、第２記録媒体１１４には、予め複数の曲の音楽データが記録されているものとする。出力部１１５は、再生された動画像や音声を外部機器に出力する。スピーカ１１６は、再生された音声を出力する。データバス１１７は各部の間で各種のデータを送信する。
【００１２】
次に、本実施形態における撮影、記録処理について説明する。
本実施形態の撮像装置１００は、ユーザによる記録開始の指示に応じて動画像の記録を開始し、記録停止の指示があると動画像の記録を停止する第１の撮影モードを持つ。更に、本実施形態では、撮像装置１００は、記録開始の指示に応じて動画像の記録を開始し、記録開始後、所定期間が経過すると自動的に動画像の記録を停止する第２の撮影モードを持つ。ユーザは操作部１１１を操作して、これら二つの記録モードの何れかを任意に設定することができ、この設定に応じて撮像装置１００は第１、第２の撮影モードのいずれかで動作する。
【００１３】
図２は、撮影モードにおける処理を示すフローチャートである。ユーザが撮像装置１００の電源を投入するか、或いは、操作部１１１により撮影モードに切り替えると、撮像部１０１により動画像信号が出力され、表示部１０６に撮影された被写体の画像が表示される。この状態で操作部１１１により撮影開始の指示があると、図２のフローが開始する。なお、図２の処理は制御部１１０が各部を制御することにより実行される。
【００１４】
まず、設定されている撮影モードが第１，第２の何れの撮影モードであるかを判別する（Ｓ２０１）。第１の撮影モードが設定されていた場合、制御部１１０は、動画像と音声の記録を開始する（Ｓ２０２）。より具体的には、制御部１１０の制御下で、画像処理部１０２は動画像信号の符号化処理を開始し、符号化された動画像信号を記録再生部１０８に出力する。また、音声処理部１０４は音声信号の符号化処理を開始し、符号化された音声信号を記録再生部１０８に出力する。記録再生部１０８は、符号化された動画像信号と音声信号とを第１記録媒体１０９の記録フォーマットに従って多重して、第１記録媒体に記録する。
【００１５】
この様に記録を開始した後、制御部１１０は、ユーザにより記録停止の指示があるかどうかを検出する（Ｓ２０３）。記録停止の指示があると、制御部１１０は、画像処理部１０２による動画像信号の符号化処理と音声処理部１０４による音声信号の符号化処理を停止し、第１記録媒体１０９に対する動画像と音声の記録を停止する（Ｓ２０４）。なお、本実施形態では、記録開始から記録停止までの一連のシーンの動画像と音声をファイルとして第１記録媒体１０９に記録する。そして、管理情報処理部１１２は、記録された動画ファイルの撮影モードを示す情報や、記録した動画ファイルの記録時間（長さ）を含む管理情報を生成し、記録再生部１０８に出力する。この場合、撮影モードの情報として、第１の撮影モードを示す情報が生成される。そして、記録再生部１０８は、この管理情報を動画ファイルに対応づけて第１記録媒体１０９に記録する（Ｓ２０５）。
【００１６】
また、Ｓ２０１で、第２の撮影モードが設定されていると、Ｓ２０２と同様に、制御部１１０が動画像と音声の記録を開始する（Ｓ２０６）。そして、記録開始と共に、制御部１１０が内蔵するカウンタにより記録開始からの経過時間の計測を開始する。そして、記録開始後、所定期間（例えば、ｎ秒（ｎは１以上の正数とする））が経過すると（Ｓ２０７）、自動的に動画像と音声の記録を停止する（Ｓ２０４）。そして、管理情報を第１記録媒体１０９に記録する（Ｓ２０５）。但し、管理情報における撮影モードの情報は第２の撮影モードを示す情報となる。
【００１７】
なお、本実施形態では、１回の記録指示に従って記録される動画像と音声を一つの動画ファイルとして記録し、また、管理情報を動画ファイルとは別の管理情報ファイルとして記録する。
【００１８】
次に、再生モードの処理について説明する。
本実施形態では、第１記録媒体１０９に記録された複数の動画ファイルを記録した順に再生する第１の再生モードを持つ。第１の再生モードでは、第１の撮影モードと第２の撮影モードの何れのモードで記録された動画ファイルも、その記録した順に再生する。更に、第１の再生モードでは、後述の様に、第１の撮影モードで記録された動画像から切り出されて記録された、切り出し動画のファイルも記録した順に再生する。また、本実施形態では、第１記録媒体１０９に記録された動画ファイルのうち、第２の撮影モードで記録された動画ファイルと、切り出し動画ファイルとを選択し、記録した順に再生する第２の再生モードを持つ。ユーザは、操作部１１１を操作することにより、これら第１の再生モードと第２の再生モードとを切り替えることができる。
【００１９】
まず、これら第１の再生モードと第２の再生モードで再生する動画ファイルの再生順序を示す再生リストの生成処理について説明する。図３は再生リストの生成処理を示すフローチャートである。図３の処理は制御部１１０が各部を制御することにより実行される。また、図３の処理は、ユーザが撮像装置１００を再生モードに切り替えたことに応じて実行するものとするが、もちろん、これ以外のタイミングで実行することも可能である。
【００２０】
まず、制御部１１０の制御下で、記録再生部１０８が、第１記録媒体１０９に記録された管理情報のうち、最初の動画ファイルの管理情報を読み出す（Ｓ３０１）。制御部１１０は、管理情報に基づいてこの動画ファイルの撮影モードを検出し、第２の撮影モードで記録された動画ファイルであるかどうかを判別する（Ｓ３０２）。第２の撮影モードで記録されていた場合には、制御部１１０は、この動画ファイルを示す識別情報（例えば、ファイル名やファイルの番号など）を第２の再生リストに登録する（Ｓ３０６）。また、制御部１１０は、第１の再生リストにもこの動画ファイルを登録する（Ｓ３０４）。本実施形態では、作成した第１の再生リストと第２の再生リストをメモリ１０７に記憶するものとする。また、メモリ１０７に再生リストが記憶されていない場合には、新たに再生リストが生成され、当該識別情報がメモリ１０７に記憶される。また、既にメモリ１０７に再生リストが作成されていた場合には、第１，第２の再生リストに対して当該識別情報が新たに追加される。
そして、制御部１１０は、次の動画ファイルがあるかどうか判別し（Ｓ３０５）、次の動画ファイルがある場合には、記録再生部１０８を用いて次の動画ファイルの管理情報を読み出し、Ｓ３０２に戻る（Ｓ３０７）。
【００２１】
また、Ｓ３０２で第２の撮影モードでなかった場合、制御部１１０は、後述の切り出し処理により記録された動画ファイル（切り出し動画ファイル）であるかどうかを判別する（Ｓ３０３）。本実施形態では、撮影モードの情報に加え、切り出し処理によって記録された動画ファイルであることを示す情報が管理情報に含まれている。そのため、管理情報に基づいて、切り出し動画ファイルかどうかを判別する。切り出し動画ファイルであった場合には、この動画ファイルを第２の再生リストに登録する（Ｓ３０６）。
【００２２】
また、Ｓ３０３で切り出しファイルでもなかった場合には、制御部１１０はこの動画ファイルが第１の撮影モードで記録されたものと判断し、第１の再生リストにこの動画ファイルを登録する（Ｓ３０４）。そして、次の動画ファイルがあるかどうか判別し（Ｓ３０５）、次の動画ファイルがある場合には、次の動画ファイルの管理情報を読み出し、Ｓ３０２に戻る（Ｓ３０７）。
【００２３】
図４は、再生モードの処理を示すフローチャートである。図４の処理は、撮像装置１００が再生モードに切り替わった時に、制御部１１０が各部を制御することにより実行される。本実施形態では、再生モードになると、第１記録媒体１０９に記録された複数の動画ファイルの代表画像が表示部１０６に表示される。ユーザは、表示部１０６に表示された代表画像の中から所望の動画を選択して再生を指示することができる。
【００２４】
まず、ユーザにより設定されている再生モードを判別する（Ｓ４０１）。第１の再生モードが設定されていた場合、制御部１１０は、メモリ１０７に記憶された第１の再生リストから、代表画像の一覧画面に表示する動画ファイルを選択する（Ｓ４０２）。本実施形態では、一画面に所定数、例えば６画面の代表画像を表示するものとし、ここでは、第１の再生リストに登録された動画ファイルのうち、先頭から６個の動画ファイルが選択される。そして、制御部１１０は、選択された動画ファイルの代表画像を表示部１０６に一覧画面として表示する（Ｓ４０３）。より具体的には、制御部１１０の制御下で、記録再生部１０８が選択された各動画ファイルの先頭画面を再生、復号して表示制御部１０５に送る。表示制御部１０５は、各動画ファイルの先頭画面のサイズを縮小することで代表画像を生成し、表示部１０６に表示する。また、ユーザは、操作部１１１を操作することで、表示部１０６に表示する代表画像を適宜切り替えることができる。
ユーザは、この様に表示された一覧画面から、操作部１１１を介して所望の動画を選択し、再生を指示する（Ｓ４０４）。再生が指示されると、制御部１１０は、第１の再生モードの処理を実行する（Ｓ４０５）。そして、再生モードの終了が指示されると、処理を終了する（Ｓ４０６）。
【００２５】
また、Ｓ４０１で第２の再生モードが設定されていた場合、制御部１１０は、メモリ１０７に記憶された第２の再生リストから、代表画像の一覧画面に表示する動画ファイルを選択する（Ｓ４０７）。ここでは、第２の再生リストに登録された動画ファイルのうち、先頭から６個の動画ファイルを選択する。そして、選択された動画ファイルの代表画像が表示部１０６に一覧画面として表示される（Ｓ４０８）。より具体的には、制御部１１０の制御下で、記録再生部１０８が選択された各動画ファイルの先頭画面を再生、復号して表示制御部１０５に送る。表示制御部１０５は、各動画ファイルの先頭画面のサイズを縮小することで代表画像を生成し、表示部１０６に表示する。また、ユーザは、操作部１１１を操作することで、表示部１０６に表示する代表画像を適宜切り替えることができる。
ユーザは、この様に表示された一覧画面から、操作部１１１を介して所望の動画を選択し、再生を指示する（Ｓ４０９。再生が指示されると、第２の再生モードの処理を実行する（Ｓ４１０）。そして、再生モードの終了が指示されると、処理を終了する（Ｓ４０６）。
【００２６】
次に、Ｓ４０５における第１の再生モード処理について説明する。図５は第１の再生モード処理を示すフローチャートである。
図４のＳ４０４で再生開始が指示されると、制御部１１０の制御下で、記録再生部１０８は代表画像の一覧画面で選択された代表画像に対応する動画ファイルを第１記録媒体１０９から再生する（Ｓ５０１）。そして、記録再生部１０８は、再生した動画ファイルから動画像信号を分離して画像処理部１０２に送り、また、音声信号を分離して音声処理部１０４に送る。画像処理部１０２は再生した動画像信号を復号して表示制御部１０５に送り、再生された動画像を表示部１０６に表示する。また、音声処理部１０４は再生された音声信号を復号し、スピーカ１１６に送って再生された音声を出力する。そして、制御部１１０は、ユーザが操作部１１１を操作することにより再生停止を指示したかどうかを判別し、再生停止の指示があると動画ファイルの再生を停止する（Ｓ５０２）。
【００２７】
また、制御部１１０は、再生停止の指示が無く、現在再生中の動画ファイルの最後まで再生すると（Ｓ５０３）、第１の再生リストから次の動画ファイルを選択し、Ｓ５０１に戻って、この次の動画ファイルを再生する（Ｓ５０４）。こうして、第１の再生リストに登録されている動画ファイルが順次に連続して再生されることになる。なお、第１の再生リストの最後まで動画ファイルの再生を完了した場合（第１の再生リストにおいて次の動画ファイルがなくなった場合）は、当該再生処理を終了する。
【００２８】
次に、Ｓ４１０における第２の再生モード処理について説明する。図６は第２の再生モード処理を示すフローチャートである。前述の様に、第２の再生モードでは、第２の撮影モードで撮影された所定時間の動画と、第１の撮影モードで記録された動画の中から切り出された所定時間の動画を連続して再生する。そして、本実施形態では、この様に所定時間の動画像を連続して再生する際に、第２記録媒体１１４に記録された音楽をＢＧＭとして、撮影時に記録された音声の代わりに出力することができる。
【００２９】
即ち、図６において、制御部１１０はユーザによる操作部１１１への操作を検出し、この様な再生時の音楽切り替え指示があったかどうかを判別する（Ｓ６０１）。切り替え指示が無い場合、制御部１１０の制御下で、記録再生部１０８は代表画像の一覧画面で選択された代表画像に対応する動画ファイルを第１記録媒体１０９から再生する（Ｓ６０２）。そして、再生した動画ファイルの動画像信号に基づいて表示部１０６に動画像が表示され、当該再生した動画ファイルの音声信号に基づく音声がスピーカ１１６から出力される。この処理は、上記Ｓ５０１に関して説明したとおりである。そして、制御部１１０は、再生停止が指示されたかどうかを判別し、再生停止の指示があると動画ファイルの再生を停止する（Ｓ６０３）。
【００３０】
また、再生停止の指示が無く、現在再生中の動画ファイルの最後まで再生すると（Ｓ６０４）、第２の再生リストから次の動画ファイルを選択し、Ｓ６０２に戻って、この次の動画ファイルを再生する（Ｓ６０５）。なお、第２の再生リストの最後まで動画ファイルの再生を完了した場合（第２の再生リストにおいて次の動画ファイルがなくなった場合）は、当該再生処理を終了する。
【００３１】
また、Ｓ６０１で音楽切り替えの指示があった場合、記録再生部１０８は、代表画像の一覧画面で選択された代表画像に対応する動画ファイルを第１記録媒体１０９から再生する（Ｓ６０６）。また、音楽データ再生部１１３は、第２記録媒体１１４に記録された音楽データのうちの何れかを選択し、再生する（Ｓ６０７）。なお、このとき予め決められた順に音楽データを再生するものとするが、ユーザが再生する音楽データを指定するようにしてもよい。
【００３２】
そして、画像処理部１０２は、再生された動画ファイルに含まれる動画像信号を復号して表示部１０６に表示する。一方、再生された動画ファイルの音声信号は音声処理部１０４に送られず、代わりに、音楽データ再生部１１３により再生された音楽データが音声処理部１０４に送られる。そして、音声処理部１０４は、第２記録媒体１１４から再生された音楽データを復号してスピーカ１１６に送る。こうして、動画撮影時に記録した音声に代えて、第２記録媒体１１４から再生した音楽がＢＧＭとして出力すされる。
【００３３】
そして、再生停止が指示されたかどうかを判別し、再生停止の指示があると動画ファイルの再生を停止する（Ｓ６０８）。また、再生停止の指示が無い場合、現在再生中の動画ファイルの最後まで再生したかどうかを判別し（Ｓ６０９）、最後まで再生すると、第２の再生リストから次の動画ファイルを選択し、Ｓ６０６に戻って、この次の動画ファイルを再生する（Ｓ６１２）。なお、第２の再生リストの最後まで動画ファイルの再生を完了した場合（第２の再生リストにおいて次の動画ファイルがなくなった場合）は、当該再生処理を終了する。
【００３４】
また、動画ファイルの最後まで再生していない場合、第２記録媒体１１４から再生中の音楽データを最後まで再生したかどうかを判別する（Ｓ６１０）。そして、音楽データを最後まで再生した場合、次の音楽データを第２記録媒体１１４から再生し、ＢＧＭとして出力する（Ｓ６１１）。
【００３５】
この様に、第２の再生モードにおいて、音楽切り替えが指示されていると、ｎ秒毎に異なるシーンの動画像を連続して表示しながら、ＢＧＭとして、撮影時の音声とは別の音楽を出力する。このとき、動画像はｎ秒毎にシーンが切り替わるが、ＢＧＭとしての音楽は、各シーンの長さとは関係なく、連続して再生される。
【００３６】
なお、本実施形態では、音楽切り替えを指示した際に、第２記録媒体１１４から再生された音楽データが符号化されているものとした。しかしながら、第２記録媒体１１４に記録された音楽データが符号化されていない場合も考えられる。その場合、再生された音楽データが出力部１１５に出力されるようにし、出力部１１５が、音声処理部１０４からの音声データに切り替えて、第２記録媒体１１４からの音楽データをスピーカ１１６から出力するようにしてもよい。
【００３７】
次に、動画像の切り出し処理について説明する。切り出し処理とは、第１の撮影モードで記録された動画像のうち、ユーザが任意に指定した時点からｎ秒分の動画像を自動的に切り出し、別の動画ファイルとして第１記録媒体１０９に記録する処理である。つまり、切り出し処理によれば、第１の撮影モードでき録された動画像の中から、第２の撮影モードにおける記録時間と同じ期間の動画像が自動的に抽出され、別の動画ファイルとして記録される。
【００３８】
図７は切り出し処理を示すフローチャートである。図５に示す第１の再生モードで動画像を再生中にユーザが切り出し開始位置の画像が再生されたタイミングで操作部１１１を操作することにより切り出し開始位置を指定すると、図５の処理が開始する。より具体的には、ユーザが第１の再生モードで動画像を再生し、再生された動画像を表示部１０６で確認しながら、撮影開始、停止を指示するためのトリガスイッチを操作することで、切り出し位置を指定する。このようにすれば、ユーザは第２の撮影モードでの撮影時と同じ間隔で動画像の切り出し位置を指示することができる。なお、制御部１１０は、第２の再生モードにおいては、切り出し開始の指示を受け付けないようにしている。
【００３９】
切り出し開始位置が指定されると、制御部１１０は、管理情報に記載された記録時間の情報に基づいて、現在再生中の動画ファイルが、第１の撮影モードで記録されたものであるかどうかを判別する（Ｓ７０１）。第１の撮影モードで記録された動画ファイル以外、即ち、第２の撮影モードで記録された動画像、または、切り出し処理によって記録された動画像である場合、制御部１１０は、切り出しができない旨を示す情報を表示部１０６に表示する（Ｓ７１４）。そして、処理を終了する。
【００４０】
一方、再生中の動画ファイルが第１の撮影モードで記録されたものであった場合、制御部１１０は、指定された切り出し開始位置から、再生中のシーンの最後までが所定期間、ここではｎ秒以上であるかどうかを判別する（Ｓ７０２）。切り出し開始位置からシーンの最後までｎ秒以上あった場合、制御部１１０は、再生中の動画ファイルのうち、指定された切り出し開始位置からｎ秒後の期間までの動画像と音声を別の動画ファイルとして第１記録媒体１０９に記録（コピー）する（Ｓ７０３）。より具体的には、制御部１１０は、指定された位置から動画像信号と音声信号を再生して復号した後、一旦メモリ１０７に記憶する。その後、画像処理部１０２と音声処理部１０４のそれぞれはメモリ１０７から動画像信号と音声信号を読み出し、符号化する。そして、記録再生部１０８が、これら符号化された動画像信号と音声信号を第１記録媒体１０９に切り出し動画ファイルとして記録する。このとき、メモリ１０７の容量が、ｎ秒分の動画像信号と音声信号を記憶できない場合には、メモリ１０７に記憶できる分の動画像信号と音声信号を再生、復号し、再度、符号化して第１記録媒体１０９に記録する処理を繰り返せばよい。
切り出した動画ファイルの記録が終了すると、管理情報処理部１１２は、新たに記録された動画ファイルが切り出し動画ファイルであることを示す情報を管理情報に付加し、第１記録媒体１０９に記録する（Ｓ７０４）。
【００４１】
また、Ｓ７０２で、指定された切り出し開始位置からシーンの最後までがｎ秒よりも短い場合、制御部１１０は、更に、シーンの最後までｍ秒（ｍ＜ｎで、ｍは０より大きい所定値とする）以上であるかどうかを判別する（Ｓ７０５）。Ｓ７０５の処理は、指定された切り出し開始位置が、再生中のシーンの終了直前であるかどうかを判別するための処理であり、ｍは判別のための閾値である。そのため、ｍの値としては、０より大きく、おおむね１程度の間の値が望ましい。
【００４２】
そして、シーンの最後までがｍ秒以上であった場合には、指定された切り出し開始位置から、シーンの最後までの動画像信号と音声信号を別の動画ファイルとして第１記録媒体１０９に記録する（Ｓ７０６）。このとき、切り出されて記録される動画像と音声の長さは、ｎ秒よりも短い。そして、切り出した動画ファイルの記録が終了すると、管理情報処理部１１２は、新たに記録された動画ファイルが切り出し動画ファイルであることを示す情報を管理情報に付加し、第１記録媒体１０９に記録する（Ｓ７０７）。
【００４３】
また、Ｓ７０５で、切り出し開始位置からシーンの最後までがｍ秒よりも短い場合、つまり、シーンの最後の直前の位置で切り出しが指示された場合、制御部１１０は、第１の再生リストに登録された動画ファイルのうち、次に再生する動画像を検出する。そして、制御部１１０は、次に再生する動画ファイルの管理情報を確認し（Ｓ７０８）、第１の撮影モードで記録された動画ファイルかどうかを判別する（Ｓ７０９）。次のシーンが、第１の撮影モードで記録されたものであった場合、制御部１１０は、更に、当該次のシーンの長さ（記録時間）を検出し、この長さがｎ秒以上であるかどうかを判別する（Ｓ７１０）。次のシーンがｎ秒以上であった場合、次のシーンの動画ファイルが再生されるのを待つ（Ｓ７１１）。そして、次のシーンが再生されると、この、次のシーン先頭からｎ秒分の動画像信号と音声信号を切り出し、別の動画ファイルとして第１記録媒体１０９に記録する（Ｓ７１２）。そして、切り出した動画ファイルの記録が終了すると、管理情報処理部１１２は、新たに記録された動画ファイルが切り出し動画ファイルであることを示す情報を管理情報に付加し、第１記録媒体１０９に記録する（Ｓ７１３）。
また、Ｓ７０９で、次に再生される動画ファイルが、第１の撮影モードで記録されたものでなかった場合、或いは、Ｓ７１０で次のシーンの長さがｎ秒よりも短い場合には、制御部１１０は切り出しができない旨の警告情報を表示部１０６に表示する。そして、処理を終了する（Ｓ７１５）。
【００４４】
Ｓ７０５〜Ｓ７１３の処理は、ユーザが動画像の再生中に、シーンの境界部分で切り出し開始が指定された場合には、次のシーンの先頭から動画像と音声を切り出すことを希望しているという判断によるものである。
【００４５】
図８は、切り出し開始位置が指定されたときの切り出し処理の様子を示す図である。
図８の（ａ）では、シーン１の再生中に８０１ａの位置で切り出し開始が指示されたときに、この切り出し開始位置からｎ秒分の動画と音声を切り出し、切り出し動画ファイル８０１ｂとして記録する。（ｂ）は、シーン１の再生中に８０２ａの位置で切り出し開始が指示されたときの様子を示す。切り出し開始位置８０２ａからシーン１の最後まではｎ秒より短いが、ｍ秒以上であるため、この切り出し開始位置からシーン１の最後までの動画と音声を切り出し、切り出し動画ファイル８０２ｂとして記録する。（ｃ）では、シーン１の再生中に８０３ａの位置で切り出し開始が指示されたときの様子を示す。切り出し開始位置８０３ａからシーン１の最後までがｍ秒よりも短く、次のシーン２の再生時間がｎ秒よりも長いため、シーン２の先頭からｎ秒分の動画と音声を切り出し、切り出し動画ファイル８０３ｂとして記録する。
【００４６】
（ｄ）では、シーン１の再生中に８０４ａの位置で切り出し開始が指示されたときの様子を示す。切り出し開始位置８０４ａからシーン１の最後まではｍ秒より短く、更に、次のシーン２が第２の撮影モードで記録されているため、警告を表示して、切り出しを禁止する。（ｅ）では、シーン１の再生中に８０５ａの位置で切り出し開始が指示されたときの様子を示す。切り出し開始位置８０５ａからシーン１の最後まではｍ秒より短く、更に、次のシーン１は第１の撮影モードで記録されているものの、記録時間がｎ秒よりも短いため、警告を表示して、切り出しを禁止する。（ｆ）では、第２の撮影モードで記録されたシーン１の再生中に８０６ａの位置で切り出し開始が指示されたときの様子を示す。シーン２は第２の撮影モードで記録されているため、警告を表示して、切り出しを禁止する。
【００４７】
なお、図７の処理では、Ｓ７０９で、次のシーンが第１の撮影モードで記録されたものではなかった場合、切り出し処理をやめていたが、例えば、第１の再生リストで更に次に再生する動画ファイルの撮影モードを確認するべく、Ｓ７０８に戻る構成としてもよい。
【００４８】
また、図７の処理では、Ｓ７０５において、指定された切り出し開始位置からシーンの最後までがｎ秒よりも短い場合であっても、シーンの最後の直前でなければ、指定された切り出し開始位置からシーンの最後までの動画、音声を切り出していた。
しかし、Ｓ７０２で、指定された切り出し開始位置からシーンの最後までがｎ秒よりも短い場合には、再生中の動画ファイルからの切り出し処理を行わず、Ｓ７０８の処理に移行するようにしてもよい。
【００４９】
また、本実施形態では、切り出し処理において、選択した動画像の再生中に切り出し開始位置が再生されたタイミングでユーザが指示することにより、切り出し開始位置を指定した。これ以外にも、例えば、選択された動画像における切り出し開始位置の先頭からの時間をユーザが直接指定する構成としてもよい。
【００５０】
また、指定された切り出し開始位置からシーンの最後までがｎ秒よりも短い場合には、切り出しをやめるか、或いは、指定された切り出し開始位置からシーンの最後までを切り出すかをユーザに問い合わせるようにしてもよい。
【００５１】
また、本実施形態では、ユーザが任意の切り出し開始位置を指定していたが、例えば、ＭＰＥＧ方式では、ＧＯＰと呼ばれる単位で符号化を行っている。そのため、切り出し開始位置を指定する際に、ＧＯＰの境界で切り出し開始位置を指定させるようにしてもよい。このようにすれば、元の動画像信号や音声信号を復号し、再度符号化せずに、切り出し動画ファイルを作成することができる。即ち、Ｓ７０３、Ｓ７０６、Ｓ７１２において、指定された位置からｎ秒間、或いは、ファイルの最後までのデータを符号化された状態で、切り出し動画ファイルとして第１記録媒体１０９にコピー、記録する。
【００５２】
この様に、本実施形態によれば、第１の撮影モードで撮影された動画像のうち、ユーザが切り出し開始位置を指定すると、第２の撮影モードでの撮影時間と同じ時間分の動画像を自動的に切り出して、別の動画ファイルとして記録する。そのため、ユーザは、簡単な操作で、第１の撮影モードで撮影した動画像の中から、所望のｎ秒分のシーンを切り出して記録することができる。
【００５３】
そして、第２の再生モードでは、第２の撮影モードで撮影した動画ファイルと、切り出し動画ファイルとを選択して連続的に再生する。そのため、ｎ秒毎に異なるシーンが連続して再生され、撮影した動画を単に再生するときと比べ、違う再生効果を得ることが可能となる。
【００５４】
なお、上記実施形態では、第１の再生リストを再生しながら、第１の撮影モードで撮影された動画毎に切り出し開始位置を指定して切り出しを行ったがこれに限られるものではない。例えば、第１の撮影モードで撮影された動画から自動的に第２の撮影モードにおける記録時間と同じ期間を切り出して登録するようにしても良い。この場合、切り出し位置は、例えば全ての動画の先頭としたり、撮影期間の中央部としたりすることができる。また、このような切り出し位置をユーザが予め指定できるようにしてもよい。
【図１】
0005498064.tif 000002
【図２】
0005498064.tif 000003
【図３】
0005498064.tif 000004
【図４】
0005498064.tif 000005
【図５】
0005498064.tif 000006
【図６】
0005498064.tif 000007
【図７】
0005498064.tif 000008
【図８】
0005498064.tif 000009